(57)【特許請求の範囲】
【請求項１】
アルミ箔や銅箔などの金属箔に粘着面を設けた導電テープ、金属線を編み込んだ導電テープ、又は、布に亜鉛メッキなどのメッキを施した布状の導電テープを、人体からの静電気除去具として使用する方法であって、
まず、上記導電テープを、靴の踵の部分から靴の開口部を経て靴内部の足の踵が当たる部分までの長さに切断する。
次に、
上記切断した導電テープを靴の踵の部分から靴の開口部を経て靴内部の足の踵が当たる部分に接着する。
更に、
靴の踵部分に接着された上記導電テープの上に、金属導電体の薄板からなるL字形補強材を、導電性のある粘着材によって覆い被せる様に貼り付けると共に、靴の開口部縁の部分に接着された上記導電テープをその上からU字形補強材で挟み込む事で、上記導電テープの摩耗、断裂、欠落を防止する事を特徴とするL字形・U字形補強材を用いる事で導電テープを人体からの静電気除去具として使用する方法。
【発明の詳細な説明】
【技術分野】
【０００１】
本発明は、導電テープを人体の静電気除去具に用いた場合の終端部のＬ字形の補強材と靴の開口部において導電テープの剥がれ落ち防止をする為のＵ字形の補強材である。
更に詳しくは、工業用導電テープを人体の静電気除去具としてセロテープの様な簡便さで利用できる様にする為の終端部のＬ字形の補強材である。
又、Ｕ字形の補強材は靴の開口部の縁の部分において接着された導電テープが足の擦れなどによる導電テープの剥がれ落ちを防止する為のものでありクリップ状になっており靴の開口部の縁の部分において接着された導電テープを上から挟み込む事により導電テープを内側に隠し擦れによる剥がれ落ちを防止する為の物である。
又、スリッパなどの薄い履物には直接Ｕ字形補強材を直接挟み込み取り付けて導電テープ無しで人体の静電気除去具として用いるものである。
【背景技術】
【０００２】
導電テープの様な物と終端部の端子が一体となっている物がある。
【０００３】
また、工業用の物としてアルミ箔や銅箔などの金属箔に粘着面を設けた物や金属線を編み込んでテープ状にした物がある。
【０００４】
更に、布に亜鉛などのメッキを施した布状の導電テープも販売されている。
【発明の開示】
【発明が解決しようとする課題】
【０００５】
導電テープと先端部の端子が初めから固定されて居ると一つの靴に対して一本の端子付いたテープを要し靴の大きさや靴内部の足の踵の当たる部分から靴の踵までの長さによって、長さに応じた沢山の種類の端子付きテープを作らねばならないか、初めから長いテープを作り靴の長さに合わせて利用者が切断する以外なく半端が出ると無駄になる。
又、安価に販売されている工業用の導電テープを人体の静電気除去具として使用する為の物でない。
【０００６】
また、工場用の導電テープをそのまま人体の静電気除去具として用いたのでは、導電面が直接接地面に当たり摩耗・断裂・欠落するなど長時間の使用には耐えない。
又、雨の日など接触面が変形や衝撃を受けると接触面の接着部分の隙間より簡単に水が浸入しふやけて剥がれてしまうなど水に対して耐久性がないなどの欠点がある。
更に、靴の開口部部において足との擦れによる剥がれ落ちがありそのまま用いたのでは、長時間の使用に耐えない。
【０００７】
また、安価な工業用の導電テープをセロテープの様な簡便な使用方法で人体の静電気除去具として用いる方法が述べられている物が無く、その終端部の補強や擦れの激しい部分の補強をどう補うかと言う物がない。
又、Ｕ字形の補強材においては静電気の起きやすいスリッパなどの薄い履物に履き替える際に簡単に靴より取り外しスリッパなどの薄い履物に挟み込む様に取り付け・取り外しが出来何度でもそのまま使える様な静電気除去具がなかった。
などの問題があった。
【特許文献１】特許公開２００１−２５８６０７号公報
【課題を解決するための手段】
【０００８】
本発明は、上記不具合を修正しセロテープ状となった導電テープを人体の静電気除去具として簡単に用いられる様にその終端部にＬ字形の補強材を取り付け導電テープと接地面とで起こる摩耗・断裂・欠落を防止し強度を持たせる。
まず、導電体である金属の様な特性を持つ物質をＬ字状に曲げ図１図２の様な形状にする。
板厚はあまり厚いと靴底を押し上げて歩行時に不快となる為、１ｍｍ以下の薄板が望ましい。
粘着面には、導電性のある耐水性の粘着剤を塗布する事が望ましいが、１／５０ｍｍ以下の粘着材の塗布厚で有れば導電性が無い耐水性の粘着剤を用いても導電性がない事によって静電気を完全にアースする事が出来なくとも人体には不快な電撃とはならない事が実験で分かった。
Ｌ字・Ｕ字補強材は、ステンレスの様なさびない物が望ましく外から見える部分には、彩色を施して装着した際に目立たないようにする。
Ｌ字・Ｕ字補強材の角は丸く落とし補強材の角で靴を傷めないようにする。
又、靴の開口部分においては、Ｕ字形のクリップ状になった補強材を用いて導電テープの剥がれ落ちを防止する様にする。
【０００９】
本発明は、上記不具合を解決するためになされたもので、靴など踵部分から人体の踵が靴に当たる部分までの長さの分、靴の表面に導電テープを貼り導電テープ終端部において靴底に貼り付けられた導電テープの上からＬ字状の補強材を更に貼り付けるものである。
補強材本体は、金属のような導電体としその粘着面には耐水性の導電性のある粘着材を使用する事が望ましい。
【００１０】
又、導電テープは、補強材からはみ出すと簡単に水が浸入してしまい導電テープごと補強材が欠落する為、、補強材と導電テープの重なり部分は、補強材の方を幅を広くとり補強材の粘着面の耐水性の粘着剤によって補強材粘着面と靴底隙間内部への水の浸入を防ぐ。又、補強材を靴に装着した場合、靴底の形状に合わせて曲りを付けて装着を容易にする事更に、外から見える部分には、目立たない様に靴の色に合わせて何色かの色を用意する。
【００１１】
Ｕ字形補強材にも目立たぬように彩色を行いクリップ状にして靴の開口部の縁の部分を挟み込めるようにする。
内側には、粘着面は必要なくクリップ状の挟み込む力で固定をする。
この為、取り外しが簡単に出来何度でも再利用が可能である。
又、このＵ字形の補強材の表面に静電気を空気中に拡散させる様な物を張り合わせるとか又は、塗布する事により導電テープを使用した時より効果は低いもののそれなりの効果は、上げられる物と考えられる。
【発明の効果】
【００１２】
このＬ字の補強材は、安価な工業用導電テープを人体の静電気除去具として簡便に用いる事が出来るようにする為の靴底の終端部における摩耗・断裂・欠落などによって起こるアース不良を防止する事が出来る補強材である。
使用者は靴の踵の部分から靴内部の足の踵が当たる部分までの任意の長さに導電テープを切断する。
その後、靴の踵のあまりすり減っていない部分から導電テープの接着を行い靴の内部の踵の当たる部分まで接着する。
更に、靴底の導電テープ接着部分の上からＬ字補強材を被せるように接着する。
これにより、直接導電テープには接触面からの打撃や摩擦が加わる事が無く摩耗・断裂・欠落などが起こりにくくなる。
これにより、高価な人体の静電気除去具使用しなくとも安価な導電テープを人体の静電気除去具として簡便に使用でき経済的である。
更に、一般の静電気除去具と違い常に携帯してその場面場面でその使用法による静電気の除去法を試みたり首や手首などに紐のような物を装着していなければならないという煩わしさから解放される。
【００１３】
又、Ｕ字形補強材は、靴の開口部の縁の部分において導電テープが足と擦れて剥がれやすくなるがこれを防止する為、靴の開口部の縁の部分に接着された導電テープを上から挟みこみ導電テープを直接擦れから守り剥がれ落ちを防止する。
又、スリッパなどの靴底の薄い履物の場合Ｕ字形補強材を直接挟み込んで、導電テープ無しで静電気除去具としても使用できる。
【実施例】
【００１４】
つぎに、本発明の実施例を図面に基づいて説明する。
図１・図２は本発明による導電テープ用の終端補強材の断面である。
使用者は靴の踵の部分から靴内部の足の踵が当たる部分までの任意の長さに導電テープを任意に切断する。
その後、靴の踵のあまりすり減っていない部分から導電テープの接着を行い靴の内部の踵の当たる部分まで接着する。
更に、靴底の導電テープ接着部分の上からＬ字補強材を被せるように接着する。
【００１５】
以上この導電テープ用の終端補強材は、使用者が靴の形状や色に合わせて導電テープ用の終端補強材を選び導電テープをセロテープ（登録商標）の様にはいている靴の大きさや靴の踵部分から靴内部の足の踵が当たる部分までの任意の長さに導電テープを切断し靴の踵のあまりすり減っていない部分から導電テープの接着を行い靴内部の足の踵の当たる部分まで接着する。
次に、
靴底の踵部分の導電テープが接着されている上にL字形補強材を靴の角から覆い被せる様に貼り合わせる。
人体に帯電した静電気は、靴内部の人体の足に接触している導電テープを通して靴底の踵部分において導電テープの上に接着された終端部L字形補強材へ伝わる。
接着されている終端部のL字形補強材は、地面や廊下などに接触し常にアースが行われ人体の静電気が除去されて静電気の蓄積を防ぐ。
【００１６】
図３のU字形の補強材は、導電テープが靴の開口部において導電テープが擦れて剥がれやすい時に使用するもので靴開口部の導電テープを挟み込む様に使用する。
これによって、安価な工業用導電テープを人体の静電気除去具として簡便に用いる事ができる様になる。
【００１７】
導電テープ用の補強材は、導電テープの接触面を保護する為、導電テープをそのまま用いた物より接触部分の摩耗・断裂・欠落が起こりにくく人体の静電気の除去効果が遙かに長時間持続する。
【００１８】
また、靴の形や色に合わせて何種類かの形や色補強材を用意する為、靴に貼った際に目立たない。
更に、靴から常に人体の静電気が放電されているので、静電気を逃がす為の人為的操作がいらず煩わしくない。
補強材の粘着面には、耐水性の接着剤が用いられている為、雨等の水濡れによる終端部の剥がれ落ちを防止する事ができ静電気除去効果が持続できる。
などの効果がある。
【図面の簡単な説明】
【００１９】
【図１】本発明によるＬ字形補強材を横から見たものである。
【図２】本発明によるＬ字形補強材を正面から見たもの写真である
【図３】Ｕ字形補強材である。
【符号の説明】
【００２０】
１．Ｌ字形補強材本体
２．導電テープ
３．導電テープ粘着面
４．粘着面（耐水性粘着剤）
５．Ｕ字形補強材本体
【図１】
0003891154.tif 000002
【図２】
0003891154.tif 000003
【図３】
0003891154.tif 000004